(57)【要約】      （修正有）【課題】市場への供給形態として定着しているロール状ウェットシートを用いて、一枚毎に拡げた状態で取り出すことができるようにしたウェットシートの拡げ取り出しを可能とした引出部構造並びに、これを具えたウェットシート容器を提供する。【解決手段】ウェットシートＷの拡げ取り出しを可能とした引出部構造２は、弾性を有する一対のシート状のブレード本体２１がその先端を弾性的に接するように拝み合わせ状に組み合わされ、拝み合わせ状に組み合わされた各ブレード本体２１の先端部２２は、相互に噛み合い状に組み合わされる保持歯２３を具えた。【選択図】図２
2016113168.tif 000002
【特許請求の範囲】
【請求項１】
弾性を有する一対のシート状のブレード本体がその先端を弾性的に接するように拝み合わせ状に組み合わされ、この拝み合わせ状に組み合わされた各ブレード本体の先端部は、相互に噛み合い状に組み合わされる保持歯を具えていることを特徴とするウェットシートの拡げ取り出しを可能とした引出部構造。
【請求項２】
前記保持歯は、連続した三角山型形状であることを特徴とする請求項１記載のウェットシートの拡げ取り出しを可能とした引出部構造。
【請求項３】
前記ブレード本体は、断面視で裾広がり状の接触強化構造を具えていることを特徴とする請求項１または２記載のウェットシートの拡げ取り出しを可能とした引出部構造。
【請求項４】
前記一対のブレード本体は、保持歯の形成されていない端部においては、一体に連続する端部連続部としていることを特徴とする請求項１、２または３記載のウェットシートの拡げ取り出しを可能とした引出部構造。
【請求項５】
容器本体の内部を、ロール状に巻かれ且つ一定の間隔毎に切離線を有するウェットシートの収納部とするともに、容器本体の周面には、取出用開口を形成し、この取出用開口に請求項１、２、３、４のいずれかに記載のウェットシートの拡げ取り出しを可能とした引出部構造を設けるようにしたことを特徴とするウェットシート容器。
【請求項６】
前記ブレード本体は、その基端部を容器本体における取出用開口下面両側に保持させて、容器本体に設けられるとともに、取出用開口の端部開口部をその間の定幅開口部よりせり上がり状で且つ、先窄み状として、ブレード本体の拝み合わせ角度を案内するようにしたことを特徴とする請求項５記載のウェットシート容器。
【請求項７】
前記容器本体は、高さ方向の中間部位で上下に２分割して上部本体要素と下部本体要素とにより、収容部を開放自在の構成とするものであり、且つ取出用開口は、上部本体要素上方に設けることを特徴とする請求項５または６記載のウェットシート容器。
【請求項８】
前記２分割された上下の本体要素は、その合わせ辺の形状を平面視で矩形状とするものであり、その短辺部と長辺部とのいずれか一方または双方を外膨らみ状としたことを特徴とする請求項５、６または７記載のウェットシート容器。
【請求項９】
前記容器本体は、ブレード本体を含む取出用開口を覆うシールキャップを具えることを特徴とする請求項５、６、７または８記載のウェットシート容器。
【発明の詳細な説明】
【技術分野】
【０００１】
本発明は、ロール状に巻かれて供給されるウェットシートの取り出し構造並びにその容器に関するものであって、特にウェットシートの拡げ取り出しを可能とした引出部構造並びにこれを具えたウェットシート容器に係るものである。
【背景技術】
【０００２】
手や身体の日常的な除菌を目的として、アルコール液を含浸させたウェットシートが普及している。このものは、例えば円筒状の収納容器にロール状に巻かれたウェットシートが収められ、容器頂部の小さな取出穴からウェットシートが紐状に窄まった状態で引き出され、且つ弱化線状の切離線において毎葉毎に切り離されるものである。当然ながら、このような状態で引き出されたウェットシートは、取出穴から抜け出た段階でその拘束から開放されるとは言え、あくまで細く紐状になっており、使用にあたっては、これを引き拡げるようにして単葉状の形状とする必要がある。このため特に一挙に何枚かのウェットシートを必要としている場合になどには、上記操作を一枚毎に行う必要が生じ、使い勝手の悪さは否めない。
もちろんロール状に巻かれたウェットシートを拡げた状態で取り出す試みもなされている（特許文献１）。しかしながら現実的には、ウェットシートを単葉に切り離すための引出部構造が充分に且つ確実に機能しきれておらず、結果的に実製品は市場に提供されていない。
【先行技術文献】
【特許文献】
【０００３】
【特許文献１】実開平５−４４８７９号公報
【発明の概要】
【発明が解決しようとする課題】
【０００４】
本発明は、これらの種々の背景を考慮してなされたものであって、市場への供給形態として定着しているロール状ウェットシートを用いることを前提とし、これを一枚毎に拡げた状態で取り出すことができるようにしたウェットシートの拡げ取り出しを可能とした引出部構造並びにこれを具えたウェットシート容器を開発することを技術課題とした。
【課題を解決するための手段】
【０００５】
請求項１記載のウェットシートの拡げ取り出しを可能とした引出部構造は、弾性を有する一対のシート状のブレード本体がその先端を弾性的に接するように拝み合わせ状に組み合わされ、この拝み合わせ状に組み合わされた各ブレード本体の先端部は、相互に噛み合い状に組み合わされる保持歯を具えていることを特徴として成るものである。
【０００６】
請求項２記載のウェットシートの拡げ取り出しを可能とした引出部構造は、前記請求項１記載の要件に加え、前記保持歯については、連続した三角山型形状であることを特徴として成るものである。
【０００７】
請求項３記載のウェットシートの拡げ取り出しを可能とした引出部構造は、前記請求項１または２記載の要件に加え、前記ブレード本体については、断面視で裾広がり状の接触強化構造を具えていることを特徴として成るものである。
【０００８】
請求項４記載のウェットシートの拡げ取り出しを可能とした引出部構造は、前記請求項１、２または３記載の要件に加え、前記一対のブレード本体については、保持歯の形成されていない端部においては、一体に連続する端部連続部としていることを特徴として成るものである。
【０００９】
請求項５記載のウェットシート容器は、容器本体の内部を、ロール状に巻かれ且つ一定の間隔毎に切離線を有するウェットシートの収納部とするともに、容器本体の周面には、取出用開口を形成し、この取出用開口に前記請求項１、２、３、４のいずれかに記載のウェットシートの拡げ取り出しを可能とした引出部構造を設けるようにしたことを特徴として成るものである。
【００１０】
請求項６記載のウェットシート容器は、前記請求項５記載の要件に加え、前記ブレード本体については、その基端部を容器本体における取出用開口下面両側に保持させて、容器本体に設けられるとともに、取出用開口の端部開口部をその間の定幅開口部よりせり上がり状で且つ、先窄み状として、ブレード本体の拝み合わせ角度を案内するようにしたことを特徴として成るものである。
【００１１】
請求項７記載のウェットシート容器は、前記請求項５または６記載の要件に加え、前記容器本体については、高さ方向の中間部位で上下に２分割して上部本体要素と下部本体要素とにより、収容部を開放自在の構成とするものであり、且つ取出用開口は、上部本体要素上方に設けることを特徴として成るものである。
【００１２】
請求項８記載のウェットシート容器は、前記請求項５、６または７記載の要件に加え、前記２分割された上下の本体要素については、その合わせ辺の形状を平面視で矩形状とするものであり、その短辺部と長辺部とのいずれか一方または双方を外膨らみ状としたことを特徴として成るものである。
【００１３】
請求項９記載のウェットシート容器は、前記請求項５、６、７または８記載の要件に加え、前記容器本体については、ブレード本体を含む取出用開口を覆うシールキャップを具えることを特徴として成るものである。
【発明の効果】
【００１４】
まず請求項１、またはこれを具えた請求項５記載の発明によれば、ウェットシート容器からウェットシートを取り出すにあたり、拝み合わせ状のブレード本体の間をウェットシートがほぼ拡がった状態で引き出され、且つ引き出されているウェットシートは、ブレード本体の保持歯により咥え込まれるように保持されているから、ウェットシートの引離線において円滑にウェットシートが一枚毎、拡がった状態で切り離されて使用することができる。
【００１５】
また請求項２、またはこれを具えた請求項５記載の発明によれば、保持歯が極めてシンプルな形状であり、それらの三角山状の咥え込みにより、ウェットシートの保持を確実に行うことができる。
【００１６】
また請求項３、またはこれを具えた請求項５記載の発明によれば、ブレード本体の裾広がり状にして、その先端部の接触を強固に設定することができ、ウェットシートの保持が確実にすることができる。
【００１７】
また請求項４、またはこれを具えた請求項５記載の発明によれば、引出構造においてブレード本体の端部連続部において一体に連なるものであり、その先端部が拝み合わせ状に切り離されていながらも、部材として一体のブレード本体とすることができ、部品点数の減少と、組立作業の簡便化を図ることができる。
【００１８】
また請求項６記載の発明によれば、ウェットシート容器は、取出用開口の端部開口部を中央に設けられる定幅開口部よりせり上がり状で且つ先窄み状としているものであり、ブレード本体の拝み合わせ角度を有効に案内し、その取り付けも位置決め作用をも行うことができる。
【００１９】
また請求項７記載の発明によれば、容器本体を上下に２分割したものであり、収容部の充分な開放状態を得られることから内部に収容するウェットシートのロールの詰め替え操作を極めて容易に行うことができる。また容器本体を樹脂射出成形等で成形する場合にも、金型等の構造をシンプルなものとすることができる。
【００２０】
また請求項８記載の発明によれば、上下の本体要素を組み合わせるにあたり、合わせ辺の長辺または短辺のいずれか一方または双方を外膨らみ状とするものであり、寸法公差の採り方次第で、上下の本体要素の嵌め合い部における密着状態を得ることができる。
【００２１】
また請求項９記載の発明によれば、ブレード本体を含む取出用開口部を覆うようにシールキャップが設けられるものであり、これにより内部に収容されたウェットシートに含まれたアルコール等の液体成分の蒸散を防ぐことができる。
【図面の簡単な説明】
【００２２】
【図１】本発明の実施例を示す説明図である。
【図２】同上一部破断斜視図である。
【図３】同上正面図である。
【図４】同上分解斜視図である。
【図５】同上縦断側面図である。
【図６】同上上部本体要素と下部本体要素との接合端縁形状を示す平面図である。
【図７】同上使用手順を示す説明図である。
【図８】同上引出部構造の他の実施例を示す説明図である。
【図９】ウェットシート容器の他の実施例を示す説明図である。
【発明を実施するための形態】
【００２３】
本発明を実施するための形態は、以下述べる実施例をその一つとするものであるとともに、この技術思想に基づく種々の改良した実施例も含むものである。
【実施例１】
【００２４】
以下、本発明を図示の実施例に基づいて具体的に説明する。
本発明のウェットシート容器Ｄは、容器本体１に対し、内部に収納するロール状のウェットシートＷを一枚毎引き出せるようにした引出部構造２を具えるものである。
まずウェットシート容器Ｄの説明に先立ち、ウェットシートＷについて概略を説明する。
ウェットシートＷは、供給状態としては、ロール状ウェットシートＷｒの形態で供給されるものであり、更に流通時の内部の除菌液等の液体成分を蒸散させないため、樹脂シート等により構成されたガセット袋状等のパッケージに収納されることが多い。このウェットシートＷは、連続した帯状のシートであるが、使用の便を考慮してシート単葉Ｗｓ毎に切離線Ｗｏで切り離し自在となっており、切離線Ｗｏの途中には、適宜の位置にブリッジ部Ｗｂを具えている。このような一般的なウェットシートＷは、既に市販されている円筒状のウェットシート容器に詰め替え用として利用できることを前提としており、ほぼ同一の商品形態のもと、多くのウェットシートが市販されている。
【００２５】
以下、このウェットシートＷを収納するウェットシート容器Ｄについて説明する。
この容器本体１は、妻面側から見て、中膨らみ変形台形と表現できるような形態を有するものであり、全体として広い面を構成する前後のメインパネル１Ａと、側部の妻面パネル１Ｂと、更に上部の天面パネル１Ｃと、更に底部の底面パネル１Ｄとにより囲まれた変形容器状をとる。そして、この内部を収容部１Ｅとする。この容器本体１は、当然ながら内部に納めるウェットシートＷの詰め替え作業のために、収容部１Ｅを開放自在とする構成が必要であり、このため、この実施例では下部本体要素１１と上部本体要素１２とが、容器本体１の高さ方向の、ほぼ中間位置で分割できる構成となっており、この分割構造が、実質的に収容部１Ｅの開放構造として機能する。
【００２６】
まず下部本体要素１１について説明する。
この下部本体要素１１は、実質的に容器本体１の各パネル等の構成部分の一部を具えるものであり、下部メインパネル要素１１Ａと、下部妻面パネル要素１１Ｂとを具え、更に前記容器本体１における底面パネル１Ｄについても下部本体要素１１に形成される。結果的に下部本体要素１１は、下部収容部１１Ｅを具えたトレー状の形態を有する。この下部本体要素１１には、底面パネル１Ｄの内側に一例として不連続とした２条の並行するロール案内リブ１１０を具えるとともに、上端縁には、上部本体要素１２を嵌め込む受け嵌まり部１１１を内側に形成している。そしてこの受け嵌まり部１１１の長辺側、即ち下部メインパネル要素１１Ａ側には、そのほぼ中央にキャッチ突起１１２が形成されている。
【００２７】
次に上部本体要素１２について説明する。上部本体要素１２は、上部メインパネル要素１２Ａと、上部妻面パネル要素１２Ｂとを具え、その上面を平面状に切ったような天面パネル１Ｃを形成している。この天面パネル１Ｃは、左右一対の妻面パネル１Ｂ間の平面状部分を総称するものであり、中央の部位に形成された範囲を主天面パネル１２Ｃとし、それに続く両側に盛り上がった部位を端部天面パネル１２０Ｃとする。上部本体要素１２の内側の空間部分を上部収容部１２Ｅとする。更に端部天面パネル１２０Ｃが形成される部位は、前述の通りメインパネル１Ａから見て両側が高く形成されたような形状となっており、この部位を肩部盛上り部１２０とする。
【００２８】
そして上部本体要素１２の下端縁には、差し嵌め部１２１が形成されるものであり、この部位が前記受け嵌まり部１１１の内側に入り込むような組み合わせ形態を有する。この差し嵌め部１２１の長辺側中央には、下部本体要素１１におけるキャッチ突起１１２に対応するラッチ爪１２２が形成される。更に前記天面パネル１Ｃには、取出用開口１２３を具える。前記主天面パネル１２Ｃの部位における取出用開口１２３は、定幅に形成されており、ここを定幅開口部１２３Ａとするとともに、それに連続する端部開口部１２３Ｂは、前記肩部盛上り部１２０の形状に因み、上方に連続するように、且つその上方端部は、先窄まり状に形成されている。
なお妻面側から見て、この部位における取出用開口１２３は、逆Ｖ字状に開口しているものであり、この角度が後述する引出部構造２におけるブレード本体２１の拝み合わせ角度を設定する。
更に取出用開口１２３を断面方向から見ると、上部本体要素１２を構成する樹脂部材の厚みの範囲で下拡がりの面取り状に構成され、この部位をブレード案内面取部１２４とする。このブレード案内面取部１２４の存在により、取出用開口１２３に引出部構造２を構成するブレード本体２１を取り付ける際、その設定角度が積極的に案内される。
また天面パネル１Ｃにおける取出用開口１２３が形成されている部位の収容部１Ｅには、下面に突出するようにブレード保持突起１２５が対設されている。
【００２９】
次にこの容器本体１に構成される引出部構造２について説明する。
このものは、ブレード本体２１を主要部材とするものであり、そのブレード本体２１は、一例として上方に向った先端部２２が拝み合わせ状に接触するような、断面視逆Ｖ字状の組み合わせ形態をとっている。すなわちブレード本体２１の素材自体は、弾性を有する一対のシート状の部材が適用されるものであり、安全性を考慮して樹脂製のものであることが好ましい。そして先端部には、メインパネル側から見てジグザグ状の三角山状の保持歯２３が形成されており、この保持歯２３が形成されていない先端部２２については、一枚のシート状のブレード本体２１がそのまま切り離されず、端部連結部２４を形成する。
このような構成によりブレード本体２１は、保持歯２３が形成されている部位において常時は、ほぼ密閉されたような引出スリット２５を構成している。一方ブレード本体２１の基端部２６は裾拡がり状に水平に案内され、前記上部本体要素１２の取出用開口１２３下面に沿って取り付けられ、ブレード保持突起１２５に対して係合孔２７が圧嵌されることにより固定がされる。もちろん基端部２６の固定については、接着剤による接着、あるいはホットメルト系素材による接着、高周波溶着などを行うこともできる。このようにブレード本体２１は、断面視で逆Ｖ字状であり、且つ図５に拡大して示すようにブレード本体２１が末拡がり状に水平に案内されていることから、一対の保持歯２３は、互いに強く接触することとなるものであり、このような構造を特許請求の範囲で記した接触強化構造とする。
【００３０】
更に符号１３は、シールキャップ１３であり、容器本体１の前記上部本体要素１２をほぼ覆うような側面視ほぼ三角形状のキャップである。即ちシールキャップ１３それ自体は、メインキャップパネル１３Ａおよび妻面キャップパネル１３Ｂを具える。そしてその上部は、上部つまみ凹部１３１が設けられ、更にその中央には、中央つまみ凹部１３２が設けられている。
【００３１】
本発明のウェットシート容器Ｄの構成部材としては、以上述べたようなものであり、以下各部材の組み付け状態並びにウェットシートの使用状態を説明する。
【００３２】
（１）容器本体１の組立完成状態
この状態は、下部本体要素１１に対し、上部本体要素１２が組み合わされた状態であり、更にシールキャップ１３がその上方に被された状態である。
このときウェットシートＷは、後述するように収容部１Ｅに横倒し状態に設けられているものであり、その位置は、下部本体要素１１におけるロール案内リブ１１０に概ね案内される状態となっている。このとき最外周のシート単葉Ｗｓは、一部ブレード本体２１から引き出されている。下部本体要素１１と上部本体要素１２との嵌め合いについては、下部本体要素１１における受け嵌まり部１１１内に、上部本体要素１２における差し嵌め部１２１が内嵌めされるような状態で嵌め込まれる。この状態で上部本体要素１２におけるラッチ爪１２２が内側からキャッチ突起１１２を咥え込むような状態となって、下部本体要素１１と上部本体要素１２との組み合わされた状態が維持される。なおこのとき、下部本体要素１１と上部本体要素１２と合わせ辺の形状は平面視で全体としてほぼ矩形状となっているが、長辺、短辺の一方または双方を外膨らみ状としていることにより、両者の結合がより強固に達成できる。即ち、両者の嵌め合わせ寸法の公差をほぼ０とした場合であれば、内嵌めされる上部本体要素１２側をより大きな寸法設定とすれば、嵌め合い部位において下部本体要素１１のおける受け嵌まり部１１１を内側から押し拡げるような状態となって、その密閉状態を向上させることができる。
【００３３】
（２）ウェットシートＷの充填
前項でも、概略を述べたが、ウェットシートＷの充填について説明する。使用にあたっては、前記組立状態にある容器本体１における下部本体要素１１と上部本体要素１２とを分離して収容部１Ｅを開放する。そして、下部本体要素１１内にロール状ウェットシートＷｒを横倒し状態に収める。次いで使用者は、ロール状ウェットシートＷｒの最外周に巻かれたシート単葉Ｗｓを摘み、これを別体となったままの上部本体要素１２の内側からブレード本体２１の先端部２２側に向けて、引出スリット２５側から外側に一部を押し出すようにして準備を終了する。このようなセッティングをした状態で、下部本体要素１１と上部本体要素１２との組み立てが行われる。
なおこのような組立構造は、ウェットシートの交換を図るためであり、その目的が達成できる範囲で、本体要素が上下に分割される構成だけでなく、適宜容器本体１の一部が開放できる構成であれば、それでもよい。
【００３４】
（３）ウェットシートＷのシート単葉Ｗｓの取り出し
このような状態でブレード本体２１の先端部２２から出ているウェットシートＷのシート単葉Ｗｓを引き出し、切離線Ｗｏに至ると、更に次のシート単葉Ｗｓがブレード本体２１から幾分か抜け出た状態となる。ここで最初のつまみ出したシート単葉Ｗｓを勢いよく引き出すと、ブリッジ部Ｗｂを切り離して、シート単葉Ｗｓが容器本体１から取り出される。この状態では、シート単葉Ｗｓは、保持歯２３の全幅に渡って拡げられた状態で引き出された状態であり、そのまま拡がったウェットシートＷのシート単葉Ｗｓを、適宜身体の除菌用途等として用いることができる。
なお保持歯２３の形状は、三角山形状であり、互いが噛み合い状に組み合わされており、この結果、ウェットシートＷの適正な保持とシート単葉Ｗｓ毎の切り離しのための保持とに寄与している。
【００３５】
（４）シールキャップによる保管
ウェットシートＷを使用し終わった後には、シールキャップ１３を容器本体１の上部に被せるような取り扱いをすることが好ましい。これにより、内部のウェットシートＷの除菌成分の蒸散を防ぐことができる。
なおこのため、シールキャップ１３は、例えば妻面キャップパネル１３Ｂの下端縁部を、幾分か外拡がり状に形成された上部本体要素１２の形状に合わせるにすれば、その嵌め込み状態がより強固となり、その密閉性をより向上させることができる。なおシールキャップ１３の取り外し等の操作において、上部つまみ凹部１３１あるいは中央つまみ凹部１３２等が安定した手掛りとして利用できる。
【００３６】
〔他の実施の形態〕
本発明は以上述べた実施の形態を一つの基本的な技術思想とするものであるが、更に次のような改変が考えられる。
例えばブレード本体２１にあっては、保持歯２３は、一定幅に同一形状で連続させているが、一部不連続な形態としてもよい。また保持歯２３は、既に述べた三角山状の噛み合わせでなく、図８に示すように角台形状の保持歯２３０としても良い。このときには、歯間底部２３１に必ず隣接する保持歯２３０が当たり、引出部構造２において機密性がよく保たれる。
また端部連結部２４についても、これを設けずにブレード本体２１を２枚の別部材とすることも可能である。
【００３７】
また片手操作でウェットシートＷの取り出しを確実にするため、例えば容器本体１における下部本体要素１１の下面、即ちに底面パネル１Ｄに両面接着テープ等を設けておき、一定の置き場が定まるような場合には、粘着テープによる固定を図ってもよい。また任意に移動をする場合には、下部本体要素１１の下面、即ちに底面パネル１Ｄに図９に示すように吸盤取付部１１３を設け、吸盤１４を支持させてことができる。
【符号の説明】
【００３８】
Ｄ        ウェットシート容器
Ｗ        ウェットシート
Ｗｒ      ロール状ウェットシート
Ｗｓ      シート単葉
Ｗｏ      切離線
Ｗｂ      ブリッジ部
１        容器本体
１Ａ      メインパネル
１Ｂ      妻面パネル
１Ｃ      天面パネル
１Ｄ      底面パネル
１Ｅ      収容部
１１      下部本体要素
１１Ａ    下部メインパネル要素
１１Ｂ    下部妻面パネル要素
１１Ｅ    下部収容部
１１０    ロール案内リブ
１１１    受け嵌まり部
１１２    キャッチ突起
１１３    吸盤取付部
１２      上部本体要素
１２Ａ    上部メインパネル要素
１２Ｂ    上部妻面パネル要素
１２Ｃ    主天面パネル
１２Ｅ    上部収容部
１２０    肩部盛上り部
１２０Ｃ  端部天面パネル
１２１    差し嵌め部
１２２    ラッチ爪
１２３    取出用開口
１２３Ａ  定幅開口部
１２３Ｂ  端部開口部
１２４    ブレード案内面取部
１２５    ブレード保持突起
１３      シールキャップ
１３Ａ    メインキャップパネル
１３Ｂ    妻面キャップパネル
１３１    上部つまみ凹部
１３２    中央つまみ凹部
１４      吸盤
２        引出部構造
２１      ブレード本体
２２      先端部
２３      保持歯
２３０    保持歯
２３１    歯間底部
２４      端部連結部
２５      引出スリット
２６      基端部
２７      係合孔
【図１】
2016113168.tif 000003
【図２】
2016113168.tif 000004
【図３】
2016113168.tif 000005
【図４】
2016113168.tif 000006
【図５】
2016113168.tif 000007
【図６】
2016113168.tif 000008
【図７】
2016113168.tif 000009
【図８】
2016113168.tif 000010
【図９】
2016113168.tif 000011